【手続補正書】
【提出日】平成22年8月24日(2010.8.24)
【手続補正１】
【補正対象書類名】特許請求の範囲
【補正対象項目名】全文
【補正方法】変更
【補正の内容】
【特許請求の範囲】
【請求項１】
筐体と、
前記筐体に対してジンバルアクションによって動く表示部であって、この表示部のジンバルアクションは、表示部を、前記筐体に設けられた空洞内に拘束しつつその空洞に浮動させることができるように構成され、これにより、表示部を前記筐体に対して複数の自由度で回動できると共に、アクチュエータを押下するに充分なほど表示部を傾動できるようにし、更に、表示部は、複数の感知領域を含むタッチスクリーンを備え、このタッチスクリーンは、タッチスクリーンの表面上をオブジェクトが移動されて、ジンバル運動中に表示部上のグラフィックオブジェクトを指すことによりタッチ選択したときにタッチスクリーン信号を発生できるような表示部と、
前記表示部が動かされたときに信号を発生するよう構成された動き検出機構であって、その信号は、前記表示部の少なくとも１つの所定の動きを表し、前記表示部は、複数の異なるユーザ入力を信号送信するように複数の自由度で回動でき、ユーザ入力の各々に前記複数の自由度の少なくとも１つが関連付けられるような動き検出機構と、
を備え、前記筐体に対して、前記表示部は、まっすぐな位置と押下した位置との間を並進移動して、前記表示部の並進移動に基づき入力信号を発生する、一体型入出力装置。
【請求項２】
筐体及び表示装置を有し、表示装置を筐体内に拘束しながら、筐体に対するジンバルアクションによって表示装置の少なくとも１つの構成要素を筐体内で動かして、少なくとも１つのユーザ入力を信号送信できるようにし、
前記表示装置の少なくとも１つの構成要素のジンバルアクションは、その少なくとも１つの構成要素を、前記筐体に設けられた空洞内に拘束しつつその空洞に浮動させることができるように構成され、これにより、前記少なくとも１つの構成要素を前記筐体に対して複数の自由度で回動できると共に、アクチュエータを押下するに充分なほど前記少なくとも１つの構成要素を傾動できるようにし、更に、前記表示装置は、複数の感知領域を含むタッチスクリーンを備え、このタッチスクリーンは、タッチスクリーンの表面上をオブジェクトが移動されて、ジンバル運動中に表示装置上のグラフィックオブジェクトを指すことによりタッチ選択したときにタッチスクリーン信号を発生することができ、前記少なくとも１つの構成要素は、複数の自由度で回動して、複数の異なるユーザ入力を信号送信することができ、ユーザ入力の各々に前記複数の自由度の少なくとも１つが関連付けられ、
前記筐体に対して、前記表示装置の少なくとも１つの構成要素は、まっすぐな位置と押下した位置との間を並進移動して、前記表示装置の少なくとも１つの構成要素の並進移動に基づき入力信号を発生する、電子デバイス。
【請求項３】
前記表示装置は、前記電子デバイスに対する主要なユーザ入力機構として機能する、請求項２に記載の電子デバイス。
【請求項４】
前記表示装置は、前記電子デバイスに対する唯一のユーザ入力機構として機能する、請求項２に記載の電子デバイス。
【請求項５】
前記電子デバイスは、ハンドヘルド電子デバイスである、請求項２に記載の電子デバイス。
【請求項６】
ハンドヘルド電子デバイスの動作構成要素を包囲する筐体と、
前記筐体の表面に配置されたディスプレイアクチュエータと、
を備え、前記ディスプレイアクチュエータは、
前記筐体のビュー領域内に視覚情報を提示するように構成された表示装置であって、この表示装置は、前記筐体に対するジンバルアクションにより前記筐体に対して動く可動構成要素を有し、この表示装置の可動構成要素のジンバルアクションは、前記筐体に設けられた空洞内に拘束しつつその空洞に浮動させるように構成され、これにより、前記可動構成要素を前記筐体に対して、アクチュエータを押下するに充分なほど、複数の自由度で回動できるようにし、更に、この表示装置は、複数の感知領域を含むタッチスクリーンを備え、このタッチスクリーンは、タッチスクリーンの表面上をオブジェクトが移動されて、ジンバル運動中に表示装置上のグラフィックオブジェクトを指すことによりタッチ選択したときにタッチスクリーン信号を発生できるような表示装置と、
前記可動構成要素が前記筐体に対して動かされたときに信号を発生するよう構成された検出機構であって、前記可動構成要素は、複数の異なるユーザ入力を信号送信するように複数の自由度で回動でき、ユーザ入力の各々に前記複数の自由度の少なくとも１つが関連付けられるような検出機構と、
を含むものであり、更に、前記検出機構を経て入力信号を発生するために、前記可動構成要素は、前記筐体に対して、まっすぐな位置と押下した位置との間を並進移動し、前記発生される入力信号は、前記表示装置の可動構成要素の並進移動に基づくものである、ハンドヘルド電子デバイス。
【請求項７】
前記表示装置は、テキスト、文字又は図形を提示するように構成された表示部を含む、請求項６に記載のハンドヘルド電子デバイス。
【請求項８】
前記表示部は液晶ディスプレイである、請求項７に記載のハンドヘルド電子デバイス。
【請求項９】
前記表示部は前記可動構成要素である、請求項７に記載のハンドヘルド電子デバイス。
【請求項１０】
前記表示装置は、前記表示部の上に位置付けられた透明カバーを含み、この透明カバー及び前記表示部は、協働して、前記可動構成要素を形成する、請求項７に記載のハンドヘルド電子デバイス。
【請求項１１】
前記表示装置は、前記表示部と前記透明カバーとの間に位置付けられたタッチスクリーンを含み、前記透明カバー、タッチスクリーン及び表示部は、協働して、前記表示装置の前記可動構成要素を形成する、請求項１０に記載のハンドヘルド電子デバイス。
【請求項１２】
前記表示装置は、前記表示部の上に位置付けられた透明カバーを含み、この透明カバーは、前記表示装置の唯一の可動構成要素である、請求項７に記載のハンドヘルド電子デバイス。
【請求項１３】
前記表示装置は、前記表示部の下に配置されたプラットフォームと、前記表示部の上に位置付けられたタッチスクリーンと、このタッチスクリーンの上に位置付けられた透明カバーとを含み、前記表示部、タッチスクリーン、透明カバー、及びプラットフォームは、協働して、前記表示装置の前記可動構成要素を形成する、請求項７に記載のハンドヘルド電子デバイス。
【請求項１４】
前記検出機構を介して入力信号を生成するために、前記可動構成要素は、前記筐体に対して第１の位置と第２の位置との間をスライドする、請求項６に記載のハンドヘルド電子デバイス。
【請求項１５】
前記検出機構を介して入力信号を生成するために、前記可動構成要素は、前記筐体に対してまっすぐな位置と傾動位置との間を回動される、請求項６に記載のハンドヘルド電子デバイス。
【請求項１６】
前記検出機構を介して入力信号を生成するために、前記可動構成要素は、前記筐体に対して軸を中心に回転される、請求項６に記載のハンドヘルド電子デバイス。
【請求項１７】
前記検出機構は、前記可動構成要素の動きを示す信号を生成する１つ以上の動き指示器を含み、この動き指示器は、スイッチ、センサ又はエンコーダから選択される、請求項６に記載のハンドヘルド電子デバイス。
【請求項１８】
前記筐体は、前記表示装置へのアクセスを与える開口部を含み、前記表示装置は、前記筐体内に傾動可能に設置され、前記検出機構は、前記表示装置と前記筐体との間に配置された１つ以上のメカニカルスイッチを含み、このメカニカルスイッチは、前記表示装置が前記メカニカルスイッチの領域において傾動されたときに入力信号を生成する、請求項６に記載のハンドヘルド電子デバイス。
【請求項１９】
前記筐体は、前記表示装置とユーザとの対話を容易にする開口部を含み、前記表示装置は、前記筐体内にスライド可能に設置され、前記検出機構は、前記表示装置と前記筐体との間に配置された１つ以上のセンサを含み、これらセンサは、前記表示装置がこれらセンサの領域でスライドするときに入力信号を生成し、これらセンサは、力感知抵抗器、ストレインゲージ、又はロードセルから選択される、請求項６に記載のハンドヘルド電子デバイス。
【請求項２０】
前記筐体は、チャンネルを含み、前記表示装置は、前記筐体に対する前記表示装置のスライド動作を可能にするために前記チャンネル内に配置され、前記表示装置は、１つ以上のばね要素を介して前記チャンネル内に吊着される、請求項１９に記載のハンドヘルド電子デバイス。
【請求項２１】
表示部及び筐体を有する電子デバイスで実施されるユーザ入力受信方法において、
前記表示部にグラフィックユーザインターフェイスを表示し、
前記筐体に対するジンバルアクションにより前記表示部が動かされるのに応答して１つ以上の入力信号を発生し、これら入力信号は、前記電子デバイスへユーザ入力を与えるのに使用されるものであり、
前記表示部のジンバルアクションは、前記表示部を、前記筐体に設けられた空洞内に拘束しつつその空洞に浮動させることができるように構成され、これにより、前記表示部を前記筐体に対して、アクチュエータを押下するに充分なほど、複数の自由度で回動できるようにし、更に、前記表示部は、複数の感知領域を含むタッチスクリーンを備え、このタッチスクリーンは、タッチスクリーンの表面上をオブジェクトが移動されて、ジンバル運動中に前記表示部上のグラフィックオブジェクトを指すことによってタッチ選択したときに、タッチスクリーン信号を発生することができ、前記表示部は、複数の異なるユーザ入力を信号送信するように複数の自由度で回動でき、ユーザ入力の各々に前記複数の自由度の少なくとも１つが関連付けられ、
前記筐体に対して、前記表示部は、まっすぐな位置と押下した位置との間を並進移動して、前記表示部の並進移動に基づき入力信号を発生する、
ことを含む方法。
【請求項２２】
筐体と、
前記筐体内に拘束された可動表示装置と、
を備え、前記筐体に対するジンバルアクションによって前記筐体内で前記可動表示装置を物理的に動かすことで、少なくとも１つのユーザ入力を信号送信するように動作し、
前記可動表示装置のジンバルアクションは、前記可動表示装置を、前記筐体に設けられた空洞内に拘束しつつその空洞に浮動させることができるように構成され、これにより、前記可動表示装置を前記筐体に対して、アクチュエータを押下するに充分なほど、複数の自由度で回動できるようにし、前記可動表示装置は、複数の感知領域を含むタッチスクリーンを備え、このタッチスクリーンは、タッチスクリーンの表面上をオブジェクトが移動されて、ジンバル運動中に前記可動表示装置のグラフィックオブジェクトを指すことによりタッチ選択したときに、タッチスクリーン信号を発生することができ、前記可動表示装置は、複数の異なるユーザ入力を信号送信するように複数の自由度で回動でき、ユーザ入力の各々に前記複数の自由度の少なくとも１つが関連付けられ、
前記筐体に対して、前記可動表示装置は、まっすぐな位置と押下した位置との間を並進移動して、前記可動表示装置の並進移動に基づき入力信号を発生する、電子デバイス。
【請求項２３】
前記電子デバイスは、ハンドヘルドメディアプレーヤであり、前記少なくとも１つのユーザ入力は、メディア制御入力である、請求項２２に記載の電子デバイス。
【請求項２４】
前記可動表示装置は、前記電子デバイスの唯一の入力手段である、請求項２２に記載の電子デバイス。
【請求項２５】
前記可動表示装置は、前記電子デバイスの主要な入力手段である、請求項２２に記載の電子デバイス。
【請求項２６】
ハンドヘルドメディアプレーヤを動作する種々の機能構成要素を内部に収容し、開口部を有する筐体と、
テキスト及び／又は図形を提示でき、前記開口部をカバーし且つ内部回路を含む表示部であって、この表示部は、前記筐体と協働して、ハンドヘルドメディアプレーヤの周囲面を形成し、この表示部は、ハンドヘルドメディアプレーヤのユーザに露出される平坦な、タッチ可能な面を有し、この表示部は、前記筐体に対して少なくとも４つの位置に傾動するように構成され、その少なくとも４つの位置は、上部傾斜位置、底部傾斜、左側傾斜位置、及び右側傾斜位置を含み、更に、この表示部は、前記筐体に対するジンバルアクションにより動くように構成され、この表示部のジンバルアクションは、表示部を、前記筐体に設けられた空洞内に拘束しつつその空洞に浮動させることができるよう構成され、これにより、表示部を前記筐体に対して複数の自由度で回動できると共に、アクチュエータを押下するに充分なほど表示部を傾動できるようにし、更に、この表示部は、複数の感知領域を含むタッチスクリーンを備え、このタッチスクリーンは、タッチスクリーンの表面上をオブジェクトが移動されて、ジンバル運動中に表示部上のグラフィックオブジェクトを指すことによりタッチ選択したときにタッチスクリーン信号を発生することができ、更に、この表示部は、複数の異なるユーザ入力を信号送信するように複数の自由度で回動することができ、ユーザ入力の各々に前記複数の自由度の少なくとも１つが関連付けられるようにした表示部と、
前記筐体内及び前記表示部の下に配置された複数のメカニカルスイッチであって、この複数のメカニカルスイッチは、前記表示部の傾動と協働して少なくとも４つの個別のユーザ入力を与える少なくとも４つのメカニカルスイッチを含み、これら４つのメカニカルスイッチは、第１のメカニカルスイッチ、第２のメカニカルスイッチ、第３のメカニカルスイッチ、及び第４のメカニカルスイッチを含み、前記第１のメカニカルスイッチは、前記表示部の上部部分の下に配置され、前記第２のメカニカルスイッチは、前記表示部の底部部分の下に配置され、前記第３のメカニカルスイッチは、前記表示部の左側部分の下に配置され、前記第４のメカニカルスイッチは、前記表示部の右側部分の下に配置され、前記表示部が前記上部傾斜位置へ傾動されるときに前記第１のメカニカルスイッチが第１スイッチ信号を発生し、前記表示部が前記底部傾斜位置へ傾動されるときに前記第２のメカニカルスイッチが第２スイッチ信号を発生し、前記表示部が前記左側傾斜位置へ傾動されるときに前記第３のメカニカルスイッチが第３スイッチ信号を発生し、前記表示部が前記右側傾斜位置へ傾動されるときに前記第４のメカニカルスイッチが第４スイッチ信号を発生するようなメカニカルスイッチと、
を備え、前記筐体に対して、前記表示部は、まっすぐな位置と押下した位置との間を並進移動して、前記表示部の並進移動に基づき入力信号を発生するようにした、ハンドヘルドメディアプレーヤ。
【請求項２７】
前記ハンドヘルドメディアプレーヤは、１つ以上の電気的構成要素が装着された回路基板を更に備え、
前記表示部は、前記回路基板に装着された１つ以上の電気的構成要素を電気的に結合する、請求項２６に記載のハンドヘルドメディアプレーヤ。
【請求項２８】
前記回路基板は、それが前記表示部の下となるように、前記筐体の内部に設けられる、請求項２７に記載のハンドヘルドメディアプレーヤ。
【請求項２９】
前記第１、第２、第３及び第４のメカニカルスイッチは、前記回路基板の１つの面の異なる辺部に装着される、請求項２８に記載のハンドヘルドメディアプレーヤ。
【請求項３０】
前記表示部は、１つ以上の電気的構成要素が装着された少なくとも１つの回路基板を含む、請求項２６に記載のハンドヘルドメディアプレーヤ。
【請求項３１】
前記表示部の側部を押下することで、前記メカニカルスイッチの対応する１つがスイッチ信号を与えるようにする、請求項２６に記載のハンドヘルドメディアプレーヤ。
【請求項３２】
前記表示部は、前記第１、第２、第３及び第４のメカニカルスイッチの２つ以上がそれらに対応するスイッチ信号を与えるように実質的に均一に内方に押下可能である、請求項２６に記載のハンドヘルドメディアプレーヤ。
【請求項３３】
前記表示部は、液晶ディスプレイである、請求項２６に記載のハンドヘルドメディアプレーヤ。
【請求項３４】
前記筐体は前面を有し、前記筐体の開口部は、この前面にある、請求項２６に記載のハンドヘルドメディアプレーヤ。
【請求項３５】
前記表示部は、前記筐体の前面の実質的に全体を使用する、請求項３４に記載のハンドヘルドメディアプレーヤ。
【請求項３６】
前記ハンドヘルドメディアプレーヤは、前記ハンドヘルドメディアプレーヤによりユーザに提示可能なメディア項目を格納し、
前記ハンドヘルドメディアプレーヤのユーザによる前記表示部との対話で、前記ハンドヘルドメディアプレーヤのユーザは、前記メディア項目からメディアの選択を行うことができる、請求項２６に記載のハンドヘルドメディアプレーヤ。